(57)【要約】【課題】簡単で安価な構成で、アッパケースの開放及びロアケースの壁からの取外しの双方の検出を可能としながらも、子どもの悪戯等に対する安全性を高める。【解決手段】アッパケース３の内側に異常検知用のセンサ５を固定的に設けると共に、ロアケース２に、被検知部６を有する可動部材７を、延出端部７ａ，７ｂが透孔２ａ、２ｂ内を移動できる範囲内で前後方向に移動可能に設ける。セキュリティ機器１が壁面Ｗの凹部Ｐに対して嵌合取付けされた通常時には、可動部材７は、延出端部７ａ，７ｂが壁面Ｗとフランジ部４との間に挟まれた所定位置に位置している。アッパケース３がロアケース２に対して開放された際に、被検知部６が相対的に後方に離間しセンサ５により異常が検知される。セキュリティ機器１が凹部Ｐから取外された際には、可動部材７がロアケース２に対して相対的に後方に移動することにより、センサ５により異常が検知される。【選択図】図２
2010015424.tif 000002
【特許請求の範囲】
【請求項１】
基端面部とその周囲に立上がる周壁部とを有し先端面が開口するロアケースと、このロアケースの先端開口部を開閉可能に覆うアッパケースとの間に、セキュリティ機能を実現する電子部品を収容して構成され、建物の壁面に形成された凹部内に、前記ロアケースの基端面部を後方奥側にして嵌込んだ状態に取付けられるセキュリティ機器であって、
前記アッパケースの内側に異常検知用のセンサを固定的に設けると共に、前記ロアケース内に、前記センサにより検知される被検知部を有する可動部材を、前記アッパケースの前記ロアケースに対する開閉方向であり且つ前記ロアケースの前記凹部に対する嵌込み取外し方向である前後方向に移動可能に設け、
前記可動部材は、前記ロアケースの周壁部に前後方向に延びて形成された透孔を通して外側に突出する延出端部を有し、該ロアケースの前記凹部への嵌合状態では、前記延出端部が前記壁面及び該ロアケースによって固定されることにより、該ロアケース内の所定位置に配置されると共に、前記ロアケースが前記凹部からの取外し方向に移動された際に、該ロアケースに対して相対的に後方に移動するように構成され、
前記異常検知用のセンサは、通常時に前記可動部材の被検知部を検知するように構成されると共に、前記アッパケースがロアケースに対して開放方向に移動したときに、該センサが前記所定位置の可動部材に対して前方に移動することによって前記被検知部の離間を検知し、前記ロアケースが前記凹部からの取外し方向に移動したときに、前記可動部材がロアケースに対して相対的に後方に移動することによって前記被検知部の離間を検知するように構成されていることを特徴とするセキュリティ機器。
【請求項２】
前記ロアケースは、その先端開口部の周囲に前記壁面の凹部の周囲部前面に配置されるフランジ部を有すると共に、そのフランジ部の外周端部に前記可動部材の延出端部の厚みと同等以上の寸法で該壁面側に折曲げられた折返し部を設けて構成されており、前記凹部に対する取付け状態では、前記可動部材の延出端部が前記折返し部の内側に配置されることを特徴とする請求項１記載のセキュリティ機器。
【発明の詳細な説明】
【技術分野】
【０００１】
本発明は、セキュリティシステムのホームコントローラ等の、建物の壁面に取付けられるセキュリティ機器に関する。
【背景技術】
【０００２】
家屋などの建物に設けられるセキュリティシステムにおいては、防災用、防犯用の各種のセンサやスイッチ等を建物の各部に設けると共に、それら各センサ等の全体を統括管理するホームコントローラを設けて構成される。セキュリティ機器としてのホームコントローラは、薄型箱状のロアケースと、その前面に開閉可能に設けられ前面パネルを構成するアッパケースとの間に、制御回路等を実装した回路基板を配設して構成される。そして、このホームコントローラは、建物（室内）の壁面に形成された凹部内に嵌込んだ状態に取付けられ、前記各センサ等からの信号を監視し、異常検出時に、ユーザに対する報知や、警備会社等への通報を行うようになっている。
【０００３】
ところで、この種のセキュリティシステムにあっては、例えば建物内に不正に侵入した賊（空き巣等）が、システムによる監視を解除させたり、セキュリティを無効化させたりするために、上記したホームコントローラのアッパケースを無理やりこじ開けようとしたり、或いは、ホームコントローラ全体を壁から取外そうとしたりする場合が想定される。そこで、従来から、この種のセキュリティ機器においては、アッパケースが不正に開放されたり、機器全体（ロアケース）が壁から不正に取外されたりすることを検知するための異常検知用のセンサを設けることが考えられている（例えば特許文献１参照）。
【０００４】
このとき、アッパケースの開放を検出するためのセンサと、ロアケースの壁からの取外しを検出するためのセンサとを、別個に設けることは、コスト高や配設スペースの大形化を招いてしまう。そこで、特許文献１（特に第２図）には、検知レバーを有する１個のマイクロスイッチを用いて、アッパケースの開放とロアケースの壁からの取外しとの両方の異常の検出を可能とした構成が開示されている。
【０００５】
即ち、このセキュリティ機器においては、アッパケース内に設けられた基板の裏面側に、１つのスイッチ（マイクロスイッチ）を配設し、その検知レバーを、ロアケースに形成された開口部から外部（壁面側）に突出させように設けている。これにより、通常の状態では、検知レバーが壁面に当接し（壁面によって相対的に押されて）、スイッチがオンしており、アッパケースが開放されたとき、並びに、ロアケースが壁から取外されたときには、検知レバーが壁面から遠ざかってスイッチがオフ（異常信号を出力）するようになっている。
【特許文献１】特開平３−１９６２９７号公報（第２図）
【発明の開示】
【発明が解決しようとする課題】
【０００６】
上記した特許文献１に開示された構成では、１つのスイッチによって、アッパケースの開放及びロアケースの壁からの取外しの双方を検出することができるので、簡単で安価な構成で済ませることができるメリットがある一方、次の点で改善の余地が残されている。即ち、特許文献１のセキュリティ機器では、ロアケースの底面に、検知レバーが突出配置される比較的大きな開口部（穴）を設けており、その開口部の内側に電気部品であるスイッチが配設される構成となっている。そのため、例えば、子どもが悪戯で、壁とロアケースとの隙間から、細い金属棒や針金を差し込んで、開口部を通してスイッチに接触させ、故障させてしまうといった虞がある。
【０００７】
本発明は上記事情に鑑みてなされたもので、その目的は、簡単で安価な構成で、アッパケースの開放及びロアケースの壁からの取外しの双方の検出を可能としながらも、子どもの悪戯等に対する安全性を高めることができるセキュリティ機器を提供するにある。
【課題を解決するための手段】
【０００８】
上記目的を達成するために、本発明のセキュリティ機器は、アッパケースの内側に異常検知用のセンサを固定的に設けると共に、ロアケース内に、前記センサにより検知される被検知部を有する可動部材を、アッパケースのロアケースに対する開閉方向であり且つロアケースの壁面の凹部に対する嵌込み取外し方向である前後方向に移動可能に設け、前記可動部材に前記ロアケースの周壁部に前後方向に延びて形成された透孔を通して外側に突出する延出端部を設け、該可動部材を、ロアケースの凹部への嵌合状態で、その延出端部が壁面及びロアケースによって固定されることにより該ロアケース内の所定位置に配置されるように構成すると共に、ロアケースが凹部からの取外し方向に移動された際に、該ロアケースに対して相対的に後方に移動するように構成し、前記異常検知用のセンサを、通常時に前記可動部材の被検知部を検知すると共に、前記アッパケースがロアケースに対して開放方向に移動したときに、該センサが前記所定位置の可動部材に対して前方に移動することによって前記被検知部の離間を検知し、前記ロアケースが前記凹部からの取外し方向に移動したときに、前記可動部材がロアケースに対して相対的に後方に移動することによって前記被検知部の離間を検知するように構成したところに特徴を有する（請求項１の発明）。
【０００９】
これによれば、１つの異常検知用のセンサにより、アッパケースの開放及びロアケースの壁からの取外しの双方の検出が可能となり、２つのセンサを設ける場合と比べて、簡単で安価な構成で済ませることができる。そして、可動部材の延出端部がロアケースに対して前後方向に移動するために、ロアケースの周壁部に前後方向に延びる透光が設けられるが、この透孔は延出端部の移動を許容するだけの比較的小さいもので済み、外部に露出するのは可動部材だけとなるので、子どもの悪戯等によってセンサが故障する可能性が減少する。
【００１０】
本発明においては、上記ロアケースを、その先端開口部の周囲に壁面の凹部の周囲部前面に配置されるフランジ部を有すると共に、そのフランジ部の外周端部に可動部材の延出端部の厚みと同等以上の寸法で該壁面側に折曲げられた折返し部を設けて構成し、前記凹部に対する取付け状態では、可動部材の延出端部が前記折返し部の内側に配置されるようにすることができる（請求項２の発明）。これによれば、可動部材の延出端部や透孔がフランジ部の裏面側に位置して外部から隠されるので、可動部材が外部から不正に操作される等の不具合を未然に防止することができ、より効果的となる。
【００１１】
尚、前記異常検知用のセンサとしては、透過型の光センサ（フォトインタラプタ）、反射型の光センサ、磁気を利用した近接センサ、機械的なマイクロスイッチなど各種のものを採用することができる。また、本発明においては、配線等に支障がない限り、可動部材側に異常検知用のセンサを設けると共に、アッパケースの内側に被検知部を設けても良く、上記と同様の作用・効果を得ることができる。
【発明を実施するための最良の形態】
【００１２】
以下、本発明を具体化した一実施例について、図面を参照しながら説明する。尚、本実施例に係るセキュリティ機器１は、図２に示すように、建物の室内の壁面Ｗに設けられた凹部Ｐに嵌込んだ状態に取付けられるものであり、以下の説明において、前後、左右、上下の方向をいう場合には、その壁面Ｗに向かって見た状態（図３（ａ）参照）を正面として述べることとする。従って、矢印Ａ方向（図２（ｂ）参照）が前方、それとは反対の矢印Ｂ方向（図２（ｃ）参照）が後方（背面側）となる。
【００１３】
図１〜図３に示すように、本実施例のセキュリティ機器（例えばセキュリティシステムのホームコントローラ）１は、共に合成樹脂製のロアケース２と、このロアケース２の前面開口部を開閉可能に覆うアッパケース３とを結合して構成される本体ケース内に、図示はしないが、セキュリティ機能を実現する必要な電子部品（制御回路など）が実装された電子回路基板等を組込んで構成されている。
【００１４】
そのうちロアケース２は、図４にも示す（図４では前面側を上向きにして示す）ように、四角形の後端（基端）面部とその周囲（四辺）に立上がる周壁部とを有し、前面（先端面）が開口する前後に薄型の矩形箱状に構成されている。さらに、このロアケース２には、その前面開口部の周囲（四辺全周）に、前記壁面Ｗの凹部Ｐの周囲部前面に配置されるフランジ部４が一体に設けられていると共に、そのフランジ部４の外周端部に該壁面Ｗ側（後方）に折曲げられた折返し部４ａが一体に設けられている。この折返し部４ａの前後方向寸法ａ（図１（ｂ）参照）は、後述する可動部材７の延出端部７ａ、７ｂの厚み寸法ｂと同等又は若干大きくなるように構成されている。
【００１５】
前記アッパケース３は、図１〜図３に示すように、前記ロアケース２のフランジ部４の外形に対応した大きさの、後面側が開放した前後に薄型の矩形箱状をなしている。また、詳しく図示はしないが、このアッパケース３の前面は操作パネルとなっており、ユーザにより操作されるスイッチ（キー）や、ランプ等の表示部、更には音声報知用のスピーカ等が配設されている。このアッパケース３は、その後端面部が、前記フランジ部４の前面の外周端部に当接するようにして、ロアケース２に対して取付けられ、ロアケース２の前面開口部を開閉可能に覆うようになっている。このとき、通常時には、アッパケース３はロアケース２に対して開放不能にロックされ、例えば警備会社のサービスマンが専用キーを用いることによって、アッパケース３を開放させることができるようになっている。
【００１６】
このセキュリティ機器１は、図２（ａ）に示すように、建物の壁面Ｗにロアケース２に対応した大きさに形成された凹部Ｐ内に、ロアケース２の基端面部を後方奥側にして嵌込んだ状態とされる。このとき、上記のように、ロアケース２のフランジ部４が、壁面Ｗの凹部Ｐの周囲部前面に配置されるようになっている。セキュリティ機器１（ロアケース２）は、この状態で、壁面Ｗに対し複数個所でのねじ止め等の容易に外れない方法で固定されるようになっている。
【００１７】
さて、セキュリティシステムにあっては、例えば建物内に不正に侵入した賊（空き巣等）が、システムによる監視を解除させたり、セキュリティを無効化させたりするために、上記したセキュリティ機器１のアッパケース３を無理やりこじ開けようとしたり、或いは、セキュリティ機器１全体を壁面Ｗから取外そうとしたりする場合が想定される。そこで、本実施例のセキュリティ機器１では、アッパケース３がロアケース２から不正に開放されたり、セキュリティ機器１全体（ロアケース２）が壁面Ｗ（凹部Ｐ）から不正に取外されたりすることを検知するための異常検知手段が、以下のように組込まれている。
【００１８】
即ち、図１（ａ）及び図２に示すように、本実施例では、前記異常検知手段は、前記アッパケース３の内側に異常検知用のセンサ５を固定的に設けると共に、ロアケース２側に前記センサ５により検知される被検知部６を有する可動部材７を設けて構成される。この場合、前記センサ５は、例えばコ字型のホルダに発光素子と受光素子とを対向配置して構成された透過型の光センサ（フォトインタラプタ）からなり、凹所５ａに侵入した物体が光路を遮ることに基づいて物体の有無を検出するようになっている。
【００１９】
このセンサ５は、アッパケース３の裏面（内面）の中央部に位置して、光路（光軸）方向を上下方向とし、且つ、凹所５ａを後方に開放させた状態で、直接又は図示しない回路基板を介して配設されている。図示はしないが、このセンサ５は、制御回路により通電制御（例えば１秒間に数１０ｍｓｅｃの間欠通電）されると共に、その信号（物体の有無の検出信号）が制御回路に入力されるようになっている。
【００２０】
前記可動部材７は、図４にも示すように、上下方向に長く前後方向に薄い細幅薄板状をなし、その上下方向中央部の前面に、前方に水平に突出する薄板状の被検知部６を一体的に有している。図３にも一部示すように、この可動部材７は、その上下両端部が、前記ロアケース２の周壁部（上壁部及び下壁部）に形成された透孔２ａ、２ｂを貫通して、上下外側に夫々若干長さだけ突出しており、それら上下の突出部分が夫々延出端部７ａ，７ｂとされている。
【００２１】
このとき、前記透孔２ａ、２ｂは、ロアケース２の上壁部及び下壁部の夫々左右方向中央部の前端側部分に位置して、前後方向に延びて形成されている。可動部材７は、ロアケース２に対し、延出端部７ａ，７ｂが透孔２ａ、２ｂ内を移動できる範囲内で、アッパケース３のロアケース２に対する開閉方向であり且つロアケース２の壁面Ｗの凹部Ｐに対する嵌込み取外し方向である前後方向に自由に移動できるように支持されている。
【００２２】
この可動部材７は、ロアケース２（セキュリティ機器１）が前記壁面Ｗの凹部Ｐに対して嵌合取付けされた状態では、図２（ａ）、（ｂ）に示すように、前記延出端部７ａ，７ｂが透孔２ａ、２ｂ内の前端に位置していると共に壁面Ｗとフランジ部４との間に挟まれた状態になり、ロアケース２に対して固定されるようになる。このロアケース２に対する可動部材７の位置を所定位置と称する。
【００２３】
またこのとき、図１（ｂ）に示すように、前記ロアケース２のフランジ部４の折返し部４ａの折り返し寸法ａが、延出端部７ａ、７ｂ（可動部材７）の厚み寸法ｂと同等以上とされており、ロアケース２の凹部Ｐに対する取付け状態では、延出端部７ａ、７ｂがフランジ部４の裏面側の折返し部４ａの内側に配置され、外部から隠された状態とされるようになっている。
【００２４】
そして、この可動部材７の所定位置においては、アッパケース３がロアケース２に対して正規の状態で結合（閉塞）されている場合、つまり通常時（正常時）には、図２（ａ）に示すように、センサ５の凹所５ａ内に、可動部材７の被検知部６が差込まれた状態とされ光路を遮断するようになっている。
【００２５】
これに対し、アッパケース３がロアケース２に対して開放方向（前方である矢印Ａ方向）に移動したときに、図２（ｂ）に示すように、前記センサ５が前記所定位置の可動部材７に対して前方に移動するので、被検知部６が凹部５ａから相対的に後方に離間し、光を透過させる位置まで被検知部６が相対移動した時点で、センサ５により異常が検知されるのである。この場合、センサ５と被検知部６との位置関係は、アッパケース３が通常状態から矢印Ａ方向に例えば５〜１５ｍｍの範囲移動した時点で、異常（光の透過）を検知できるように構成されている。
【００２６】
さらに、前記可動部材７は、図２（ｃ）に示すように、ロアケース２（セキュリティ機器１）が凹部Ｐからの取外し方向（前方である矢印Ａ方向）に移動された際に、該ロアケース２（透孔２ａ，２ｂ）に対して相対的に後方（矢印Ｂ方向）に移動するように構成されている。この場合も、可動部材７がロアケース２に対して相対的に後方に移動することによって、被検知部６がセンサ５から相対的に後方に移動するので、センサ５により異常が検知されるのである。
【００２７】
尚、前記センサ５（制御回路）により異常が検知された場合には、セキュリティ機器１（制御回路）は、警報音の発生やランプ表示等によってその旨の報知を行うと共に、警備会社或いは警察への通報を行うようになっている。この場合、例えば警備会社のサービスマンがメンテナンス等のためにアッパケース３を開放させたり、ロアケース２（セキュリティ機器１全体）を凹部Ｐから取外したりする場合には、センサ５による異常検知（通報）を無効化することができることは勿論である。
【００２８】
次に、上記構成の作用・効果について述べる。上述のように、セキュリティ機器１の壁面Ｗに対する設置状態では、図２（ａ）に示すように、可動部材７の延出端部７ａ，７ｂが壁面Ｗとフランジ部４との間に挟まれ、可動部材７が所定位置にある状態となる。従って、通常時には、センサ５の凹所５ａ内に、可動部材７の被検知部６が差込まれた状態とされて光路を遮断しており、以て、センサ５により正常状態が検出される。
【００２９】
これに対し、上記したように例えば建物内に不正に侵入した賊（空き巣等）が、セキュリティ機器１のアッパケース３を無理やりこじ開けようとしたり、或いは、セキュリティ機器１全体を壁面Ｗから取外そうとしたりする場合がある。今、アッパケース３が、矢印Ａ方向に引張られ、無理やりこじ開けられた場合には、図２（ｂ）に示すように、アッパケース３側に固着されているセンサ５が、前記所定位置の可動部材７に対して前方に移動するので、被検知部６が凹部５ａから相対的に後方に離間し、以て、センサ５により異常が検知されるのである。センサ５により異常検知がなされると、上記のように、警報の発生や管理会社等への通報が行われる。
【００３０】
また、セキュリティ機器１全体が、壁面Ｗ（凹部Ｐ）から矢印Ａ方向に引張られて取外されようとした場合には、図２（ｃ）に示すように、前記可動部材７が、ロアケース２（透孔２ａ，２ｂ）に対して相対的に後方（矢印Ｂ方向）に移動する。これにより、可動部材７の被検知部６がセンサ５から相対的に後方に移動するので、センサ５により異常が検知されるのである。この場合も、同様に警報の発生や管理会社等への通報が行われる。
【００３１】
このように、本実施例の構成では、１つの異常検知用のセンサ５により、アッパケース３の開放及びロアケース２の壁面Ｗからの取外しの２種類の異常を検出することが可能となり、２つのセンサを設ける場合と比べて、簡単で安価な構成で済ませることができるのである。
【００３２】
そして、本実施例では、可動部材７を介してセンサ５を動作させる構成としたので、ロアケースに形成された開口部内にマイクロスイッチ等を配設するようにした従来のものと異なり、ロアケース２に設けられる透孔２ａ，２ｂは可動部材７の延出端部７ａ，７ｂの前後方向の移動を許容するだけの比較的小さいもので済み、外部に露出するのは可動部材７だけとなるので、子どもの悪戯等によってセンサ５が故障する可能性が減少する。
【００３３】
また、特に本実施例では、可動部材７の延出端部７ａ，７ｂが、ロアケース２のフランジ部４の裏面側に位置され、外部から隠される構成としたので、可動部材７が外部から不正に操作される等の不具合を未然に防止することができるものである。
【００３４】
尚、上記実施例では、セキュリティ機器１全体が壁面Ｗから取外された際に、可動部材７をロアケース２に対して相対的に後方（矢印Ｂ方向）に強制移動させるための手段を特に設けることはしなかったが、ロアケース２（透孔２ａ、２ｂ）に対して可動部材７（延出端部７ａ，７ｂ）を後方に付勢する手段（例えばコイルばねや板ばねといったばね部材等）を設けるようにすれば、可動部材７の動作がより確実となる。この場合、別体のばね部材を設けるようにしても良いことは勿論であるが、例えば可動部材７に弾性片部を切起し状に一体に設け、その弾性片部の先端をロアケース２に弾性的に接触させておくことにより、簡単な構成で付勢手段を設けることができる。
【００３５】
その他、上記した異常検知用のセンサとしては、透過型の光センサ（フォトインタラプタ）に限らず、反射型の光センサ、磁気を利用した近接センサ、機械的なマイクロスイッチなど各種のものを採用することができる。また、本発明においては、配線等に支障がない限り、可動部材側に異常検知用のセンサを設けると共に、アッパケースの内側に被検知部を設けても良く、上記実施例と同様の作用・効果を得ることができる等、要旨を逸脱しない範囲内で適宜変更して実施し得るものである。
【図面の簡単な説明】
【００３６】
【図１】本発明の一実施例を示すもので、（ａ）はセキュリティ機器の概略的な縦断右側面図（図３（ａ）のＩ−Ｉ線に沿う断面図）、（ｂ）はそのＣ部の拡大図
【図２】セキュリティ機器が壁面に正常に取付けられている状態（ａ）、アッパケースがこじ開けられた状態（ｂ）、全体が壁面から取外された状態（ｃ）を夫々示す縦断右側面図
【図３】セキュリティ機器の正面図（ａ）、右側面図（ｂ）、底面図（ｃ）
【図４】ロアケースを開口部側を上向きにした状態でフランジ部の一部を破断して示す斜視図
【符号の説明】
【００３７】
図面中、１はセキュリティ機器、２はロアケース、２ａ，２ｂは透孔、３はアッパケース、４はフランジ部、４ａは折返し部、５はセンサ、６は被検知部、７は可動部材、７ａ，７ｂは延出端部、Ｗは壁面、Ｐは凹部を示す。
【図１】
2010015424.tif 000003
【図２】
2010015424.tif 000004
【図３】
2010015424.tif 000005
【図４】
2010015424.tif 000006